(57)【要約】【課題】  医療環境における情報の表示を改善するために注視検出を用いるための方法（４００）及びシステム（３００）を提供する。【解決手段】  システム（３００）の幾つかの実施形態は、ユーザの注視位置を検出するための眼鏡ヘッドセット（２１０）と、情報を表示するためのディスプレイ（３５０）とを含む。画像及び／又はデータなどのディスプレイ（３５０）上の情報は、ユーザの注視に基づき、ユーザ向けに専用化される。１つの実施形態では、眼鏡ヘッドセット式ビューア（２２０）は、個々の情報表示のため情報をユーザの接眼レンズへ投影する。システム（３００）は、複数のユーザ間のディスプレイ（３５０）の優先権及び制御権を決定するための競合解決モジュールを含む。１つの実施形態では、ディスプレイ（３５０）での機能は、例えば、音声コマンド、ジェスチャー、及び／又は注視を用いて起動することができる。【選択図】      図１
2006102495.tif 000002
【特許請求の範囲】
【請求項１】
関連情報を表示するための注視検出及び制御システム（３００）であって、
ユーザが注視している位置を検出するための眼鏡ヘッドセット（２１０）と、
ユーザの注視に基づき該ユーザ用に専用化された情報を表示するためのディスプレイと、
を含むシステム（３００）。
【請求項２】
眼鏡ヘッドセット式ビューア（２２０）が、個々の情報の表示のためにユーザの接眼レンズに情報を投影する請求項１のシステム（３００）。
【請求項３】
複数のユーザ間で前記ディスプレイ（３５０）の優先権及び制御権を決定する競合解決モジュールを更に含む請求項１のシステム（３００）。
【請求項４】
ディスプレイ（３５０）での機能が、音声コマンド、ジェスチャー、及び注視のうちの少なくとも１つを用いて起動される請求項１のシステム（３００）。
【請求項５】
注視検出に基づき、医療情報を表示するための方法（４００）であって、
基準位置（４２０）に対してユーザが注視している方向を決定する段階と、
ディスプレイ（３５０）を向いているユーザを識別する段階と、
前記ユーザ（４３０）に基づき前記ディスプレイ（３５０）上の情報を更新する段階と、
を含む方法。
【請求項６】
前記更新段階が更に、優先権及びユーザからの入力のうちの少なくとも１つに基づき前記ディスプレイ（３５０）上の情報を更新する段階を含む請求項５の方法（４００）。
【請求項７】
前記ディスプレイ（３５０）の制御権を決定するために複数のユーザ間で調整する段階を更に含む請求項５の方法（４００）。
【請求項８】
複数のユーザが前記ディスプレイ（３５０）上の情報を制御可能とする段階を更に含む請求項５の方法（４００）。
【請求項９】
音声コマンド、ジェスチャー、及び注視（４４０）のうちの少なくとも１つを用いて前記ディスプレイ（３５０）で機能を起動する段階を更に含む請求項５の方法（４００）。
【請求項１０】
画像をユーザの接眼レンズへ投影する段階を更に含む請求項５の方法（４００）。
【発明の詳細な説明】
【技術分野】
【０００１】
本発明は、全体的には、医療環境での情報の表示に関する。具体的には、本発明は、医療環境での関連情報の表示を改善するための注視検出技術の使用に関する。
【背景技術】
【０００２】
臨床又は医療環境は、密集し、且つ要求の厳しい環境であり、医療環境において用いられるイメージングシステム、データ記憶システム、及び他の装置を組織化し、且つ使い易く改善することによって恩恵を得ることになる。病院又は診療所などの医療環境では、多くの専門家、患者、及び装置に取り囲まれている。医療施設のスタッフは、複数の患者、システム、及び仕事を管理して、患者に質の高いサービスを提供しなければならない。医療スタッフは、ワークフローにおいて多くの問題又は障害に遭遇する可能性がある。
【０００３】
臨床環境において、種々の注意を逸らすものがあれば、医療スタッフを中断させ、又は業務遂行の妨げとなる場合が多い。更に、放射線作業空間のような作業空間は、例えば、種々のモニター、データ入力装置、大容量データ記憶装置、及び通信機器などが散乱するようになる場合がある。散乱した作業空間は、結果としてワークフロー及び患者へのサービスが非効率的となり、患者の健康及び安全に影響し、又は医療施設にとって不利益をもたらすことになる可能性がある。典型的な医療施設では、データ入力及びアクセスもまた複雑である。
【０００４】
従って、既に密集した環境内に置かれ、日常の仕事を行うために用いられる多数の異なる装置を管理することは、医学又は医療スタッフにとって困難である。更に、装置間の相互運用性が欠落していると、医療ワークフローにおいて複数の装置を用いる際に付随する遅延及び不都合さが増すことになる。複数の装置を用いることはまた、同じ環境で複数のログオン管理を伴う場合がある。医療環境において、使い易さと複数の装置間の相互運用性が改善されたシステム及び方法は、極めて望ましいものである。
【０００５】
キーボード、コンピュータのマウス装置、イメージングプローブ、及び外科器具などの複数の装置との広範囲な相互作用に関係する医療環境においては、反復する動作障害が生じる場合が多い。反復する動作の損傷を最も少なくするために、該反復動作の一部を排除したシステム及び方法が、極めて望ましいものとなる。
【０００６】
病院又は診療所のような医療環境は、病院情報システム（ＨＩＳ）及び放射線医学情報システム（ＲＩＳ）のような臨床情報システムと、医用画像保管管理システム（ＰＡＣＳ）のような記憶システムを含む。記憶されている情報は、例えば、患者の医療履歴、イメージングデータ、試験結果、診断情報、管理情報、及び／又はスケジュール情報を含むことができる。該情報は、中央で格納してもよく、複数の場所に分けることもできる。医療従事者は、医療ワークフローにおいて種々の時点で患者情報又は他の情報にアクセスできることが望ましい。例えば、外科手術中には、医療スタッフは、病院情報システム内に記憶されている患者の生体組織の画像などの患者の情報にアクセスすることができる。或いは、医療スタッフは、医療処置が行われている間に、履歴、診断、又は治療情報などの新しい情報を病院情報システムに入力することができる。
【０００７】
ＰＡＣＳ情報などの最新の情報システムでは、情報は、キーボード及び／又はマウスを備えたローカルコンピュータ端末を用いて入力又は検索が行われる。医療処置が行われている間、又は医療ワークフローの他の時点で、キーボード、マウス、又は類似の装置を物理的に使用することは、非現実的（例えば、別の部屋で使用する）及び／又は非衛生的（即ち、個々の無菌野の保全性の侵害）である。ローカルコンピュータ端末を使用した後に再消毒することは、例えば、手術室の医療スタッフにとっては実行不可能な場合が多く、医療スタッフが病院情報システムにアクセスするのを思いとどまらせる可能性がある。従って、物理的に接触することなく病院情報システムにアクセスできるシステム及び方法は、ワークフローを改善し、滅菌野を維持するのに極めて望ましいものとなる。
【０００８】
イメージングシステムは、構成及び操作が複雑である。多くの場合、医療スタッフは、患者の画像を得ること、患者の記録又は診断を参照すること、又は更新することを試み、及び追加検査又は対診を求めることができる。このように、イメージングシステム及び関連装置のオペレータによる操作及び相互運用性を容易にするシステム及び方法に対する必要性がある。
【０００９】
多くの状況において、イメージングシステムのオペレータは、イメージングシステムコンソールを用いて患者又は他の対象物をスキャンするときに、問題に直面する場合がある。例えば、超音波イメージングシステムのようなイメージングシステムを用いて典型的なシステム制御コンソールを使い、上肢及び下肢検査、圧迫検査、頚動脈検査、新生児頭部検査、及び携帯型検査を行うのは困難である場合がある。オペレータは、コンソールとスキャンされることになる箇所の両方に物理的に触れることはできない。更に、オペレータは、スキャンされている患者を調整しながら、同時にコンソールでシステムを操作することはできない。オペレータは、情報へのアクセス、又は試験もしくは対診を求めるために電話又はコンピュータ端末に触れることはできない。検査を支援するオペレータ又は助手を追加すると、検査費用が増大することになり、オペレータと助手との間で誤った伝達によりエラー又は使用不能データを生じる場合がある。従って、個々のオペレータがイメージングシステム及び関連のサービスの操作を容易にする方法及びシステムが非常に望ましいものとなる。
【００１０】
放射線医学又は心臓病処置の読影などの読影は、患者のデジタル画像を見る放射線医師又は心臓病専門医などの医療従事者のプロセスである。医療従事者は、結果に関する電子化された（例えば、口述記録又は別の方法を用いて）又は書面による診断画像及び報告書の内容に基づいて診断を行う。放射線医師又は心臓病専門医などの医療従事者は、診断を行うために通常他のツールを用いる。他のツールの幾つかの例として、以前の及び関連する前の（履歴上の）検査及びこれらの結果、臨床検査（血液検査のような）、アレルギー、病理結果、薬物治療、警告、文書イメージ、及び他のツールなどがある。例えば、放射線医師又は心臓病専門医は、検査結果を読影するときに、臨床情報、電子医療記録、及び医療情報などの他のシステムを通常調べる。
【００１１】
現状では、医療従事者は、患者に関する情報をシステムから引き出すためには、異なるシステムにログオンして患者についてサーチしなければならない。例えば、患者が胸の痛みを訴えている場合には、胸部Ｘ線が撮られる。次いで、放射線医師は、他のシステムにログオンして患者についてサーチし、その患者の具体的な状態及び症状を探す。このようにして、放射線医師は、検討のために多くの情報を受け取ることができる。
【００１２】
医療従事者が使用するベンダー及びシステムに応じて、放射線医師又は心臓病専門医などの医療従事者には、利用可能なツールを参照するのに幾らかの選択肢があるだけである。第１に、利用可能なツールから情報を求めることは、紙の形態で行うことができる。第２に、医療従事者は、放射線医師情報システム（ＲＩＳ）、医用画像保管管理システム（ＰＡＣＳ）、電子医療記録（ＥＭＲ）、病院情報システム（ＨＩＳ）、及び臨床検査情報システム（ＬＩＳ）などの異なるアプリケーションを用いて、患者についてサーチして電子的に情報を調べることができる。
【００１３】
第１の場合では、医療従事者は、読影用ワークステーションから注意を離れて、紙文書を通じてサーチして閲覧し、ほとんどの場合は患者当たりに数多くの紙文書を含む。このことは、その莫大な量の紙文書により、医療従事者の仕事の効率が低下し、誤りをおこす可能性が生じる。従って、医療従事者によって閲覧され用意される紙の量を低減するシステム及び方法は、極めて望ましいものであろう。
【００１４】
第２の場合、電子情報システムは、異なるシステム間であまり良好に通信できない場合が多い。従って、医療従事者は、各システムに別々にログオンし、患者についてサーチして各システムに対して調べる必要がある。こうした冗長な仕事は、大幅な遅延及び潜在的エラーを生じる結果となる。従って、複数の電子情報システム間の通信及び相互作用を改善するシステム及び方法が、極めて望ましいもとなる。
【００１５】
更に、幾つかのシステムにおいて統一された患者コンテクストを提供するための臨床コンテクストオブジェクトワークグループ（ＣＣＯＷ）のような機構を用いてシステムが統合されている場合でも、医療従事者には、依然として閲覧するには多すぎる情報が提供されている。様々なアプリケーションからの情報が一度にあまりにも多く提供されると、読影と分析プロセスが遅れることになる。ルーチンワークフローでユーザが必要としないアプリケーション要素をフィルタ処理することが必要である。従って、複数のシステムから提供される情報を管理するシステム及び方法が、極めて望ましいものとなる。
【００１６】
現在では、手術室（ＯＲ）のような医療環境は、複数の異なる情報及び／又はイメージングシステムに接続された複数のディスプレイ（ＣＲＴ，ＬＣＤ，他）を含む。ディスプレイは、例えば、壁、天井、テーブル、及び／又は床からのアームに取り付けられたブームに懸垂させることができる。手術室のような幾つかの医療環境では、１０以上のディスプレイが部屋に密集し、医師が各ディスプレイをスキャンせずに重要な情報を見つけ出そうとすることは非常に難しいものとなる。
【００１７】
医療従事者が、異なるシステムから情報にアクセスすることを希望する場合には、医療従事者は、これまでは複数のディスプレイへ頭を向けて見上げて、どのディスプレイが求める情報を保持するのかを判断しなければならない。特に医療処置を中に頭を動かすことは、人間工学に正しいことではなく、医療従事者にとっても快適なことではない。更に、このように頭を動かすことは、検査又は処置全体を通して頻繁に繰り返される可能性がある。従って、医療環境において頭を動かすことを低減し、人間工学的に改善されるシステム及び方法は、極めて望ましいものであろう。
【００１８】
更に、複数のディスプレイは、医療従事者に同時に提示される情報が過剰となる。従って、多すぎるディスプレイに過剰な情報が表示されると、医師にとって関連の情報を探し出そうとすることが困難になる。従って、重要な情報の識別を改善し、医療環境に密集するディスプレイを低減するためのシステム及び方法に対する必要性がある。
【００１９】
手術室のような医療環境にあるディスプレイが多すぎると、更に問題が生じる可能性がある。例えば、複数のディスプレイがあることは、情報技術の観点からコスト的に効果的ではない。１つ又はそれ以上の部屋に複数のディスプレイを購入することは、医療提供者にとってかなりの費用となる。更に、例えば、複数のディスプレイ及び／又は複数のシステムは、医療環境で更に熱を発生させる。過剰な熱により、電気料金が高くなり、医療環境での患者、医師、及び機器に対して健康被害をまねく可能性がある。従って、医療環境で複数のディスプレイ低減するシステムが極めて望ましいものとなる。
【００２０】
このように、医療環境で関連する情報の表示を改善するシステム及び方法が、必要である。
【特許文献１】米国特許第６１５２５６３号
【発明の開示】
【課題を解決するための手段】
【００２１】
本発明の幾つかの実施形態は、医療環境における情報の表示を改善するために注視検出を用いる方法及びシステムを提供する。システムの幾つかの実施形態は、ユーザの注視位置を検出するための眼鏡ヘッドセットと、情報を表示するためのディスプレイとを含む。画像及び／又はデータなどのディスプレイ上の情報は、ユーザの注視に基づき、ユーザ向けに専用化される。幾つかの実施形態では、眼鏡ヘッドセットビューワは、個々の情報表示のためユーザの接眼レンズに情報を投影する。本システムはまた、複数のユーザ間の優先権及びディスプレイの制御権を決定するための競合解決モジュールを含む。幾つかの実施形態では、例えば、音声コマンド、ジェスチャー、及び／又は注視を用いてディスプレイでの機能を起動することができる。
【００２２】
１つの実施形態では、該システムはまた、複数の情報源の少なくとも１つとの関係を個々に記憶する複数の透視画を含む。該システムはまた、少なくとも１つの情報源を透視画と関連づけるための医療透視画マネージャを含むことができる。医療透視画マネージャは、ユーザが透視画を用いて関連する情報源にアクセスできるようにする。
【００２３】
１つの実施形態では、システムはまた、情報の可用性及び／又は提示を管理する少なくとも１つの規則を有する規則エンジンを含む。本システムはまた、クエリーに基づく複数の情報源からの情報を取得して、規則エンジンからの規則に基づいて情報をフィルタ処理するコンテクスト・マネージャを含むことができる。
【００２４】
方法の幾つかの実施形態は、基準位置と関連してユーザが注視している方向を決定する段階と、ディスプレイに向いているユーザを識別する段階と、ユーザに基づいてディスプレイ上の情報を更新する段階とを含む。１つの実施形態では、情報は、例えば、ユーザからの優先権及び／又は入力に基づいてディスプレイ上で更新される。
【００２５】
本方法はまた、誰がディスプレイの制御権を有するかを決定するために複数のユーザ間で調整する段階を含むことができる。１つの実施形態では、複数のユーザに、ディスプレイの全体又は一部に対して情報の制御権を与えることができる。例えば、音声コマンド、ジェスチャー、及び／又は注視を用いて、ディスプレイで機能を起動することができる。更に、本方法は、ユーザの接眼レンズに画像を投影する段階を含むことができる。本方法は更に、ユーザに関係のある情報を個人化する少なくとも１つの透視画を定義する段階を含むことができる。１つの実施形態では、ディスプレイ上で利用可能な情報は、１つ又はそれ以上の規則に基づいてフィルタ処理される。
【００２６】
１つの実施形態では、コンピュータ読み取り可能な記憶媒体は、情報表示に関するコンピュータの命令セットを含む。命令セットは、ユーザがディスプレイを見ている時点を求める注視検出ルーチンと、ユーザがディスプレイを見ているときにユーザと関連する情報をディスプレイ上に表示する表示ルーチンとを含む。命令セットはまた、ユーザと関連する情報を選択する選択ルーチンを含む。更に、命令セットは、ディスプレイを見ている複数のユーザ間の制御権の優先順位を決定する調整ルーチンを含むことができる。命令セットはまた、少なくとも１つの規則に基づいて、ユーザと関連づけられた情報をフィルタ処理する規則ベースコンテクストマネージャを含むことができる。１つの実施形態では、情報は、例えばデータ及び／又は画像を含む。
【００２７】
上述の概要並びに以下の本発明の幾つかの実施形態の詳細な説明は、添付図面と共に読めばより良く理解されるであろう。本発明を例証する目的で、幾つかの実施形態が図面に示されている。しかしながら、本発明は、添付図面で示されている構成及び手段に限定されないことを理解されたい。
【発明を実施するための最良の形態】
【００２８】
図１には、本発明の実施形態に従って用いられる改善された手術室１００が示されている。図１で示されるように、多数の異なるディスプレイが、手術台１２０の近くのブーム１１５に懸垂された単一の大型ディスプレイ１１０で置き換えられてきた。ディスプレイ１１０は、複数のユーザに情報を表示する携帯眼鏡及び眼球追跡システムに用いることができる。更に、音声コマンド及び／又はファイヤー・ワイア・ウェブ・カメラのような、カメラを用いたジェスチャー制御は、滅菌野を乱すことなく画像及び情報システムとの対話を可能にする。
【００２９】
図２には、本発明の実施形態に従って用いられる携帯眼鏡式ビューイングシステム２００が描かれている。システム２００には、眼鏡ヘッドセット２１０、個人用眼鏡式ディスプレイ２２０、及び注視追跡プロセッサ２３０を含む。プロセッサ２３０は、眼鏡２１０内に一体化してもよく、及び／又は眼鏡２１０と別個にしてもよい。個人用眼鏡式ディスプレイ２２０には、眼鏡２１０によりユーザの視野が投影されている。
【００３０】
医療従事者は、該従事者の注視を捉えてナビゲーションとのインターフェースを実行するため、ゴーグルのような眼鏡２１０を用いることができる。ユーザの注視は、例えば、赤外線又は他の光源によって追跡することができる。光は、ユーザの瞳孔から反射されて検出される。光はまた、角膜の前後表面、及びユーザの眼のレンズから反射され、検出又は記録することができる。繰り返し計測することによって、ユーザの注視の変化を追跡する。代替的に、又は追加として、ユーザの注視は、例えば、カメラ又は位置センサーを介してユーザの頭の動きに基づいて追跡することができる。基準座標系において、及び／又はディスプレイ上の位置などの基準地点に対してユーザの注視及び／又は頭の位置を決定することができる。1つの実施形態において、複数の測定値を取得して、例えば、ユーザの視線及び／又は頭の角度を求めることができる。
【００３１】
ゴーグル又は他の眼鏡はまた、画像をユーザの接眼レンズに投影し、又は眼鏡２１０に取り付けられユーザの視野に位置付けられた小型スクリーンを設けて、仮想個人用ディスプレイ２２０を形成することができる。従って、眼鏡２１０を用いると、医療環境における幾つかのディスプレイを排除することができる。更に、眼鏡２１０により、医療環境において特定の情報を特定のユーザ向けに表示することを意図することができる。例えば、看護師、麻酔医、及び外科医は、各自の個人用眼鏡式ディスプレイ２２０上に表示される異なる情報を受け取る。例えば、外科医は、画像誘導外科手術及びＰＡＣＳデータを見ることができ、一方、麻酔医は、ＥＫＧ及び投薬データを見る。1つの実施形態では、各ユーザは、1つのディスプレイを見るのに向きを変えることなくカスタマイズされた情報を見て情報を選択することができる。
【００３２】
１つの実施形態では、眼鏡２１０は、血流データ、心電波形、生命徴候などの重要な動的患者情報を表示する携帯眼鏡式ビューアである。眼鏡２１０によって、ユーザは、ＬＣＤ又はＣＲＴモニターを見るために自分の頭の向きを変えることなく情報を見ることができる。眼鏡ヘッドセット２１０によって、患者に対して「下を向いて」処置をしながら、ユーザはデータを見ることができるが、解像度は、例えば、画像検査及び／又は細かいテキスト検討に限定される可能性がある。ユーザが、詳細な情報又はより細かい粒状度を見ることを求めている場合には、ユーザは、医療環境において単一の大型ディスプレイを見ることができる。１つの実施形態では、眼鏡ヘッドセット２１０及び／又はプロセッサ２３０は、眼球追跡ソフトウェアを含み、ユーザが大型ディスプレイを注視していることを該ソフトウェアが検出すると、ユーザの透視画及び／又は規則ベースの情報が、画面上に表示される。ヘッドセット２１０及び／又はプロセッサ２３０の眼球追跡能力はまた、注視方向入力を用いて大型ディスプレイを制御することができる。例えば、プロセッサ２３０は、ユーザが、ディスプレイ上にある特定のボタン、オプション、又は機能を見ている時を検出して、ユーザに対してボタン、オプション、又は機能を選択又は起動する。オプション／機能の起動はまた、ユーザがあるエリアを見ている時間量に基づくことも可能である。眼鏡式システム２００はまた、音声コマンド及び／又はジェスチャーと共に使用して、例えば、ディスプレイ２２０及び／又は他のシステムもしくは機能を制御することができる。
【００３３】
例えば、規則に関するシステムに基づいて、チーフ外科医は、大型ディスプレイに対して優先的に見る権利を有する。チーフの外科医が、「下に向いて」外科手術に戻ると、ディスプレイは、他のユーザによるアクセスが可能となる。１つの実施形態では、「懸垂」ディスプレイプロトコルによって、ユーザは大型ディスプレイ上の財産を共有することができる。
【００３４】
図３には、本発明の実施形態に従って用いられる注視検出及び制御システム３００を示す。システム３００は、単一の大型ディスプレイ３５０及び複数の眼鏡２１０を含む。システム３００は、別個のプロセッサ又は注視追跡プロセッサ２３０の協働ネットワークである注視追跡及び制御プロセッサ３６０（図示せず）を含むことができる。１つの実施形態では、個人用眼鏡式ディスプレイ２２０は、６００×８００又は８００×６００のような限定的な解像度を有することができる。従って、個人用眼鏡式ディスプレイ２２０は、患者の生命徴候及び他のデータなどの特定の情報に対して十分な解像度を提供している。より多くの情報については、医療従事者が画像誘導手術情報のようなより大きな情報を見るために単一の大型ディスプレイ３５０を参照することができる。ユーザはディスプレイ３５０を見る。注視追跡プロセッサ２３０は、ユーザが特定の情報を見るのを求めていることを認識し、例えば、透視画法を用いて状況に合わせた患者情報を大型ディスプレイ３５０上に表示する。注視及び／又は頭位置に関する情報がプロセッサ２３０から伝えられ、ディスプレイ３５０上への情報を決定することができる。更に、ユーザの希望する情報、ディスプレイ２２０からの情報、及び／又は他の入力を送信して、ディスプレイ３５０の内容及び／又は他のパラメーターを構成することができる。
【００３５】
１つの実施形態では、ディスプレイ３５０上に表示される情報は、透視画に対して適所に又は透視画に付加して規則に基づき決定することができる。例えば、規則では、医師の注視は、看護師の注視よりも優先されることが決定される。その後、医師がディスプレイ３５０から目を離したときに、看護師はディスプレイ３５０を制御する。或いは、ディスプレイ３５０の制御は、複数のユーザにほぼ同時に対応することができるように、複数のユーザでディスプレイ３５０上に表示される共通の情報を共有することができる。
【００３６】
このようにして、システム２００及び３００によって、ユーザは、ＰＡＣＳ、ＥＭＲ、ＬＩＳ、ＨＩＳ、ＲＩＳ、ＣＶＩＳ、及び他のアプリケーションもしくはシステムなどの種々のシステムからのデータにアクセスして表示することができる。プロセッサ２３０及び／又は３６０は、閲覧する人個々に有用なビューにデータを編成する。プロセッサ２３０及び／又は３６０は、ユーザが大型ディスプレイ３５０を注視していることをすばやく認識し、ユーザの情報をディスプレイ３５０上に投影する。更に、プロセッサ２３０は、どのユーザがディスプレイ３５０の制御を行うべきかを決定するため、アクセスを求める複数のユーザの中から競合及び優先度を調整する機能を有することができる。例えば、規則ベースのディスプレイの制御及び／又は懸垂プロトコルは、どのユーザが制御権及び優先権を有するか、及び／又はどのユーザが制御及びディスプレイ領域を共有することができるかを管理することができる。規則及び他のプロトコルはまた、いつディスプレイ３５０の制御権が放棄され、及び／又は取って代れるかを管理することができる。
【００３７】
ディスプレイ３５０は、手術室内の複数のディスプレイに取って代る。ディスプレイシステム３００は、ユーザの注視を追跡し、ユーザの優先権に基づいて、携帯眼鏡式ビューア２２０の解像度で可能であるよりもユーザがより詳細な情報を希望したときにはユーザ固有の「透視画ベース」の業務情報を提供する。例えば、ユーザは、鮮明なテキスト及び／又は解剖学イメージを所望時にディスプレイ３５０上で見ることができる。ディスプレイ３５０上に表示される情報は、眼鏡ヘッドセットディスプレイ２２０内に表示される情報を補完し、及び／又はこれに取って代る。
【００３８】
１つの実施形態では、ビデオスイッチボックス及び／又は音声コマンドを画像誘導手術に用いてディスプレイを切り替えることができ、その結果、画像誘導手術情報だけが見られるようになる。１つの実施形態では、音声制御及び／又はジェスチャーを眼球追跡と協働して用いて、ディスプレイ３５０及び／又はシステムカーソルを制御することができる。
【００３９】
１つの実施形態では、マネージャ１２０は、規則ベースコンテクストマネージャと共に動作して情報をフィルタ処理及び表示することができる。規則ベースコンテクストマネージャの一例は、名称が「Ｓｙｓｔｅｍ  ａｎｄ  Ｍｅｔｈｏｄ  ｆｏｒ  Ｒｕｌｅｓ−Ｂａｓｅｄ  Ｃｏｎｔｅｘｔ  Ｍａｎａｇｅｍｅｎｔ  ｉｎ  Ｒａｄｉｏｌｏｇｙ  ａｎｄ  Ｃａｒｄｉｏｌｏｇｙ  Ｄｉａｇｎｏｓｔｉｃ  Ｒｅａｄｉｎｇ（放射線医学及び心臓病学診断の解釈における規則ベース・コンテクスト・マネージメントのためのシステム及び方法）」で発明者Ｐｒａｋａｓｈ  Ｍａｈｅｓｈにより２００４年１０月１日付けで出願された米国特許出願において記載されており、該特許出願は引用により全体が本明細書に組み込まれる。
【００４０】
１つの実施形態では、マネージャ１２０は、複数のアプリケーション及びワークフローを取り扱うため透視画マネージメント・システムと共に動作することができる。透視画マネージメント・システムにより、特定のユーザ向けのワークフローステップ及び他の情報が保持されている種々の透視画を定義することができる。透視画により、個人化された情報表示が、例えば、患者の現在の状態に密接に関係した適切な情報を提供することができる。透視画マネージメント・システムの１つの実施例は、発明者Ｐｒａｋａｓｈ  Ｍａｈｅｓｈ及びＭａｒｋ  Ｒｉｃａｒｄによる名称が「Ｓｙｓｔｅｍ  ａｎｄ  Ｍｅｔｈｏｄ  ｆｏｒ  Ｈａｎｄｌｉｎｇ  Ｍｕｌｔｉｐｌｅ  Ｒａｄｉｏｌｏｇｙ  Ａｐｐｌｉｃａｔｉｏｎｓ  ａｎｄ  Ｗｏｒｋｆｌｏｗｓ（多数の放射線医学アプリケーションとワークフローの処理のためのシステム及び方法）」の２００４年１０月１日付けで出願された米国特許出願で記載されており、該特許出願は引用により全体が本明細書に組み込まれる。例えば、外科手術室において、関連する患者情報の特定の透視画又はビューを用いる多数の医療従事者が手術台にいる場合がある。単一の大型ディスプレイ（例えば、ＬＣＤ、プラズマディスプレイ、４６インチディスプレイなど）では、各ユーザは、自分たちの個人化された透視画をディスプレイ上で大型及び／又は小型の形式で見ることができる。ディスプレイは、ユーザ間で共有してもよい。
【００４１】
図４には、本発明の実施形態に従って用いられる医療環境における注視検出及び制御のための方法４００のフローチャートが示されている。最初に、ステップ４１０で、ユーザは、携帯眼鏡３１０のような眼鏡ヘッドセットを装着する。次に、ステップ４２０において、眼鏡を介してユーザの注視を追跡する。例えば、ユーザの注視は、眼鏡式ディスプレイ２２０上で追跡され、ディスプレイ２２０上の特定の情報及び／又は機能を選択することができる。更に、例えば、ユーザの注視は、ディスプレイ３５０の上で追跡することができる。
【００４２】
ステップ４３０では、ユーザの注視がディスプレイ３５０に向けられていることが検出されると、ディスプレイ３５０上の内容は、そのユーザに適応するように調整される。すなわち、状況に合った透視画及び／又は規則を用いて、特定のユーザ向けの関連する情報をディスプレイ３５０上に表示することができる。ディスプレイ３５０上のスペースは、ディスプレイ３５０を見ている一人のユーザに全てを割り当ててもよく、又は、複数のユーザにデータを表示するよう分割してもよい。或いは、ディスプレイ３５０は、一般的なデータを表示するエリア及び特定のユーザに専用の１つ又はそれ以上のデータ表示エリアを含むことができる。１つの実施形態では、複数のユーザが、ディスプレイ３５０を見ている場合には、ユーザの優先順位を比較して、どのユーザがディスプレイ３５０の制御権を取ることが許可されるかを決定することができる。
【００４３】
次に、ステップ４４０では、ディスプレイ３５０を制御しているユーザが、ディスプレイ３５０を操作することができる。例えば、ユーザは、注視、音声コマンド、ジェスチャー、ボタン、スイッチ、及び／又はマウス装置に基づいて、ディスプレイ３５０上に示された情報を調整することができる。ユーザは、ディスプレイ２２０に表示された情報を同様に調整することができる。ディスプレイ２２０に示された情報は、ディスプレイ３５０に示されている情報を模擬したものであっても、そうでなくともよい。
【００４４】
次に、ステップ４５０では、ユーザの視線がディスプレイ３５０から離れて変わると、ディスプレイ３５０は、他のユーザ向けに自己調整する。例えば、外科医が、ディスプレイ３５０から手術を受けている患者に戻り下を見ると、ディスプレイ３５０は、情報を表示するために看護師が利用できるようになる。１つの実施形態では、生命徴候のような情報は、その環境内でユーザが着用している個人用眼鏡を通して連続して表示することができる。ディスプレイ３５０上に表示された情報は、眼鏡式ディスプレイ２２０上に表示された情報を補完し、及び／又は強化する。
【００４５】
従って、幾つかの実施形態では、種々の情報システム及び他のアプリケーションは、複数のユーザが見ることのできる単一のディスプレイ内に統合される。幾つかの実施形態では、ユーザが利用できる情報は、規則及び／又は透視画に基づいてフィルタ処理される。幾つかの実施形態では、情報の過負荷、人間工学的問題、及び、例えば、散乱、発熱、コスト、及びディスプレイからの光度などの複数のディスプレイからの影響に対処する。手術室などの医療環境から複数のディスプレイを取り除くことができ、単一の大型ディスプレイ上の情報を、特定の医師に対しての関連する患者情報を示すように簡略化することができる。幾つかの実施形態は、医療従事者に対して臨床上の判断の支援を行う助けとなる。このようにして、医療上の過失を低減することができ、例えば、外科手術室のワークフローを合理化することができる。更に、繰り返される頭及び首の運動を低減して、結果として人間工学上の問題を低減することができる。
【００４６】
幾つかの実施形態を参照しながら本発明を説明してきたが、当業者であれば、種々の変更が可能であり、本発明の範囲から逸脱することなく均等物で置き換えることができる点は理解されるであろう。更に、本発明の範囲から逸脱することなく、特定の状況又は材料を本発明の教示に適合させるために多くの修正を行うことができる。従って、本発明は、開示された特定の実施形態に限定されるものではないが、本発明は、添付の請求項の範囲に含まれる全ての実施形態を含むことになるものとする。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００４７】
【図１】本発明の実施形態に従って用いられる改善された手術室を示す図。
【図２】本発明の実施形態に従って用いられる携帯眼鏡式ビューイングシステムを示す図。
【図３】本発明の実施形態に従って用いられる注視検出及び制御システムを示す図。
【図４】本発明の実施形態に従って用いられる医療環境における注視検出及び制御のための方法のフローチャート。
【符号の説明】
【００４８】
１００  手術室
１１０  ディスプレイ
１１５  ブーム
１２０  手術台
【図１】
2006102495.tif 000003
【図２】
2006102495.tif 000004
【図３】
2006102495.tif 000005
【図４】
2006102495.tif 000006